(57)【特許請求の範囲】
【請求項１】
内部基準信号に基づいて生成されたコントロール信号に同期して圧縮ディジタル信号の記録再生が行われるディジタル磁気記録再生装置において、
上記圧縮ディジタル信号の再生時、回転ヘッドのロックを保持した状態で上記コントロール信号の位相を進相若しくは遅相させるコントロール信号生成部と、
再生された上記圧縮ディジタル信号に対して第１のエラー訂正処理を行う第１のエラー訂正用デコーダと、
上記第１のエラー訂正処理が行われた上記圧縮ディジタル信号に対して第２のエラー訂正処理を行う第２のエラー訂正用デコーダを有し、
上記第１および第２のエラー訂正用デコーダでは、上記出力する圧縮ディジタル信号をそれぞれ遅延させて、上記内部基準信号とカラーフレーム位相が同期した再生出力信号が得られるようにした
ことを特徴とするディジタル磁気記録再生装置。
【請求項２】
第１および第２のエラー訂正用デコーダに設けられたメモリのリードタイミングをそれぞれ調整して、上記圧縮ディジタル信号を所定時間遅延させることによってカラーフレーム位相の合った再生出力信号が出力されるようになされたことを特徴とする請求項１記載のディジタル磁気記録再生装置。
【請求項３】
上記圧縮ディジタル信号はＮＴＳＣ方式若しくはＰＡＬ方式のテレビション信号であることを特徴とする請求項１記載のディジタル磁気記録再生装置。
【発明の詳細な説明】
【０００１】
【発明の属する技術分野】
この発明は、デジタルビデオテープレコーダ（ＶＴＲ）などに適用して好適なディジタル磁気記録再生装置に関する。詳しくは、回転ドラムの回転位相を所定フィールドだけ進相させるか、若しくは遅相させると共に、読み出したディジタル再生信号をエラー訂正用デコーダで所定時間遅延させることによって、回転ドラムのロック状態を外すことなく内部基準信号のカラーフレーム位相に、そのカラーフレーム位相がロックした状態でディジタル再生信号が得られるようにしたものである。
【０００２】
【従来の技術】
デジタルＶＴＲなどの磁気記録再生装置、例えばハンディータイプのディジタルＶＴＲでは、内部で生成された内部基準信号（カラーフレーミング用内部基準信号）に基づいて回転ドラムに対するサーボ信号やテープに記録するフィールド周波数のコントロール信号（ＣＴＬ）などが生成される。そしてこの内部基準信号に基づいてデジタル信号（デジタルビデオ信号やデジタルオーディオ信号など）を記録したり、またこの内部基準信号に基づいてデジタル再生信号を処理している。
【０００３】
図６に示すような複数の磁気ヘッドを有する回転ドラムを用いたＶＴＲに適用した場合を次に説明する。同図に示す回転ドラム２０には１８０°離れた位置に片側４個づつ記録ヘッドＲａ〜Ｒｈが取り付けられると共に、これらと９０°離れた位置に再生ヘッドＰａ〜Ｐｈが取り付けられる。再生ヘッドＰａ〜Ｐｈは記録モードのとき、記録と同時再生用の確認ヘッド（Ｃｏｎｆｉヘッド）として使用される場合もある。これら磁気ヘッドＲ、Ｐを使用したときのテープフォーマットの一例を図７に示す。
【０００４】
同図はコンポーネント記録方式ディジタルビデオテープレコーダのフォーマットの例を示すもので、ビデオデータＶ１，Ｖ２の間に４チャネルのオーディオデータＡ１〜Ａ４が記録される。ＳＡＴはサーボ基準信号であり、Ｔｃａはアナログオーディオ信号用のキュー（ｃｕｅ）トラックであり、ＴＣはタイムコード用トラックである。また、Ｔｔｃはコントロール信号ＣＴＬ用のトラックである。
【０００５】
１フィールドは３セグメント構成で、１セグメントは２つのトラックで構成されるので、１フレームは６セグメント、１２トラック構成となる。したがって内部基準信号ＲＥＦとセグメントとの関係は図８のようなものとなる。この例ではデジタル信号を記録する場合、内符号を用いたエラー訂正と外符号を用いたエラー訂正を併用した場合を示す。また記録するビデオ信号としてはＮＴＳＣ方式のビデオ信号を例示する。
【０００６】
ＮＴＳＣ方式のビデオ信号の場合、同図Ａの内部基準信号ＲＥＦはカラーフレーミング（カラーフレーム位相）との関係から４フィールドシーケンス（カラー位相単位）の信号形態となされる。同図Ｂはビデオサーボ用の信号ＳＣであり、また同図Ｃに示すコントロール信号ＣＴＬは４フィールドでカラーフレームが完結するように、パルスのデューティーがフィールドによって異ならされている。図ではパルスデューティーが６５％、５０％、５０％、５０％となされている。
【０００７】
また、オーディオデータとの間ではオーディオデータのサンプリング周波数（４４．１ＫＨｚ）とフィールド周波数（５９．９４Ｈｚ）との関係から５フィールド完結となるので、５フィールドごとにサーボ信号のデューティーを変更している。図では５フィールドごとに３５％のデューティーとなされている。
【０００８】
内部基準信号ＲＥＦとコントロール信号ＣＴＬとは時間ｔａだけ相対的にずらされており、そして、この例では同図Ｄのように内部基準信号ＲＥＦに対してｔｂだけ遅れて入力ビデオ信号Ｄｉｎが入力する。
【０００９】
入力ビデオ信号Ｄｉｎはディジタル変換処理やエラー訂正用コード（ＥＣＣパリティーコード）を付加するための処理などによってｔｃ（同図Ｄ）なる遅延が生ずる。ｔｃだけ遅れて入力ディジタル信号を記録すると、内部基準信号ＲＥＦとフィールド位相が全く合わなくなるので、実際に信号の記録が開始されるのは、内部基準信号ＲＥＦと同期をとる関係でさらにｔｄだけ遅れることになる（同図Ｅ，Ｆ）。
【００１０】
また、１フィールド３セグメントの入力ディジタル信号は、４つのヘッドＲａ〜Ｒｄ（Ｒｅ〜Ｒｈ）で交互に順次記録されるものであるから、１セグメントのデータはほぼ２／３フィールドの時間をかけて記録されることになる。そのため、記録時間軸は同図Ｆのように１セグメントの２倍の長さとなる。
【００１１】
なお、４つのヘッドで記録する場合、その記録タイミングは各ヘッド間に僅かな時間差が発生するが、図８ではこれを省略して同一タイミングで記録されているように図示している。
【００１２】
図８Ｇ以降は記録時の確認再生モードでのタイミングチャートを示す。再生ヘッドＰは記録ヘッドＲに対して９０゜ずれているので、ｔｅだけ遅れて再生される（同図Ｇ）。
【００１３】
この再生信号ＰＢａが再生処理回路系に入力することによって入力時と同様な時系列となる（同図Ｈ）。この再生信号ＰＢｂに対して内符号によるＥＣＣ訂正処理を行い（同図Ｉ）、そしてこの訂正された再生信号ＰＢｃに対してさらに外符号によるＥＣＣ訂正処理が行われるため（同図Ｊ）、それぞれ訂正処理時間による信号の遅延ｔｆ、ｔｇが生ずる。
【００１４】
内符号と外符号とによるエラー訂正処理が済むと、ディジタルビデオ信号の復号化と伸張処理が行われるが、この処理はフィールド単位で行われる。そのため、
エラー訂正処理されたディジタルビデオ信号ＰＢｄに対して伸張処理されたディジタル再生信号ＰＢｏは丁度１フィールド遅れで出力される（同図Ｋ）。
【００１５】
ここで、１フィールド遅れで出力されるディジタル再生信号ＰＢｏが内部基準信号ＲＥＦに同期した状態で出力されるようにするため、ＥＣＣエンコーダから読み出されるタイミングが調整される。図の例では、それぞれ１．５セグメント分の遅延ｔｆ、ｔｇを取ることによって、内部基準信号ＲＥＦに同期したディジタル再生信号ＰＢｏを出力させることができる。したがって最終的に得られる再生信号ＰＢｏは同図Ｋに示すように内部基準信号ＲＥＦに対して２．５フレーム遅れで出力される。
【００１６】
以上の処理によって最終的に出力される確認信号は内部基準信号に同期（フィールド同期）した状態で出力されるが、図８Ａのカラーフレーム位相とは同期していない。１フィールド分だけずれている。
【００１７】
記録同時再生モードでもカラーフレーム位相が合致していればよいが、カラーフレーム位相を合わせ込むことは困難であり、また記録同時再生モードは記録状態を確認するだけであるので、カラーフレーム位相まで一致させることもない。
【００１８】
しかし、この記録同時再生モードとは異なり、通常の再生モードではディジタル再生信号のカラーフレーム位相が内部基準信号ＲＥＦのカラーフレーム位相と一致する必要がある。それは、ディジタル再生信号を利用して他のディジタルビデオ信号などと共に編集処理などを行うにあたっては、他のディジタルビデオ信号のカラーフレーム位相との関係で、それらとディジタル再生信号のカラーフレーム位相が合致している必要があるからである。
【００１９】
【発明が解決しようとする課題】
ところで、カラーフレームの位相を合わせるには図９Ａ、Ｂ、Ｃのように、基準同期信号ＲＥＦに対して再生信号ＰＢｏを３フィールド分遅相（遅延）させるか、１フィールド分進相させればよい。３フィールド分遅延させるためには専用の遅延回路を設ける必要があるので余り得策な解決手段とは言い難い。
【００２０】
再生信号ＰＢｏを１フィールド進相させる場合には、コントロール信号ＣＴＬも１フィールド分進相させればよいが、そうすると今度は回転ドラム２０のサーボロックが外れてしまう。これは上述したように１フィールドは６トラックで構成され、回転ドラム２０の１回転は８トラックであるから、１フィールド分は３／４回転に相当する。ドラムロックは１回転単位であるから、１フィールド分の進相処理を行うことによって回転ドラム２０のサーボロックが外れてしまうからである。
【００２１】
ここで、１回転をフィールドに換算すると、８／６＝４／３フィールドに相当する。したがって、コントロール信号ＣＴＬを図９Ｅのように４／３フィールド分だけ進相させると、この遅延量は回転ドラム２０の１回転分に相当するから回転ドラム２０のサーボロックが外れることはない。しかし、進相させたコントロール信号ＣＴＬ′を使用する場合、再生信号ＰＢｏも４／３フィールドずれることになるので、再生信号ＰＢｏは内部基準信号ＲＥＦに対して図９Ｅのように２／３フィールド分だけずれてカラーフレーミングがとれなくなってしまう。これでは初期の目的を達成できない。
【００２２】
そこで、この発明はこのような従来の課題を解決したものであって、回転ドラムのサーボロック状態を保持しながら、内部基準信号とのカラーフレーム位相の同期を、既存の回路を利用して実現できるディジタル磁気記録再生装置を提案するものである。
【００２３】
【課題を解決するための手段】
上述の課題を解決するため、請求項１に記載したこの発明に係るディジタル磁気記録再生装置では、内部基準信号に基づいて生成されたコントロール信号に同期して圧縮ディジタル信号の記録再生が行われるディジタル磁気記録再生装置において、上記圧縮ディジタル信号の再生時、回転ヘッドのロックを保持した状態で上記コントロール信号の位相を進相若しくは遅相させるコントロール信号生成部と、再生された上記圧縮ディジタル信号に対して第１のエラー訂正処理を行う第１のエラー訂正用デコーダと、上記第１のエラー訂正処理が行われた上記圧縮ディジタル信号に対して第２のエラー訂正処理を行う第２のエラー訂正用デコーダを有し、上記第１および第２のエラー訂正用デコーダでは、上記出力する圧縮ディジタル信号をそれぞれ遅延させて、上記内部基準信号とカラーフレーム位相が同期した再生出力信号が得られるようにしたことを特徴とする。
【００２４】
この発明では、コントロール信号を４／３フィールド分だけ進相させる。そうすると、カラーフレーム位相との関係から２／３フィールド分だけ再生信号ＰＢｏと内部基準信号ＲＥＦとがずれる。そこで、再生信号ＰＢｏを４／３フィールド分だけ遅延する。この遅延を第１および第２のエラー訂正用デコーダで行う。これらエラー訂正用デコーダにはデータの読み出し方向を選択するためのバッファ手段としてのメモリが設けられているので、その読み出しタイミングをずらして、トータルで２／３フィールド分に相当する時間遅延させる。
【００２５】
そうして、第２のエラー訂正用デコーダの伸張処理出力（１フィールド遅延出力）の位相は内部基準信号ＲＥＦのカラーフレーム位相に完全に同期した状態で得られる。つまりカラーフレーミングが合ったディジタル再生信号が得られる。
【００２６】
【発明の実施の形態】
続いて、この発明に係るディジタル磁気記録再生装置の一実施形態を図面を参照して詳細に説明する。この発明でも従来と同じように図６に示すような複数の磁気ヘッドで構成された回転ドラム２０が使用されて、図７に示すようなテープフォーマットでディジタル信号が記録再生されるものとする。また、回転ドラム２０に設けられた再生ヘッドＰは記録時の同時再生ヘッドとしても使用されるものとする。つまり、記録信号確認機能を有した磁気記録再生装置に適用する場合を実施の形態として例示する。
【００２７】
図１はこのディジタル式ビデオテープレコーダ１０に設けられた記録再生系の要部を示すもので、端子１０１には記録すべきディジタル信号例えばディジタルビデオ信号、例えばＮＴＳＣ方式のディジタルビデオ信号が供給される。ディジタルビデオ信号は入力アンプ１０３を経由して圧縮処理される。
【００２８】
本例ではＤＣＴを利用して圧縮・符号化する処理系が採用されており、そのため、このディジタルビデオ信号はＤＣＴ変換回路１０４でＤＣＴ係数に変換される。そのため、ディジタルビデオ信号はまず、例えば８画素×８ラインを単位としてブロック化され、ブロック単位でＤＣＴ係数が求められる。ＤＣＴ係数はフィールドシャッフリング回路１０５でフィールドを単位としたシャッフリング処理が行われ、その後ビット・レート・リダクション回路１０６で圧縮処理と符号化処理が行われる。
【００２９】
圧縮符号化されたディジタルビデオ信号は第１のエラー訂正用エンコーダ（ＥＣＣエンコーダ）１０７においてこの例ではエラー訂正用の外符号が生成される。
【００３０】
一方、端子１０９にはディジタルオーディオ信号が供給され、これが入力アンプ１１１を経てシャッフリング回路１１２でビデオ信号と同じようなシャッフリング処理が行われる。その後、第１のエラー訂正用エンコーダ（ＥＣＣエンコーダ）１１３にて外符号が生成されて付加される。
【００３１】
ＥＣＣ処理されたディジタルビデオ信号とディジタルオーディオ信号がそれぞれマルチプレクサ１０８に供給されて、図７に示すようなフォーマットに則った時系列でディジタルビデオ信号とディジタルオーディオ信号とが出力されるようなマルチプレクス処理が施される。
【００３２】
マルチプレクス処理されたディジタル記録信号はＩＤ付加回路１１５においてカラーフレーム情報やセグメント情報などの識別情報ＩＤが付される。その後第２のエラー訂正用エンコーダ１１７で内符号が生成、付加されると共に、エラー訂正用の外符号と内符号が付加されたこのディジタル記録信号に対しては次の同期付加回路１１８でデータを識別するための同期データ（シンク）が付加される。そして同期データが付加されたディジタル記録信号はさらにエンコーダ１１９で、１回転８トラック分のディジタル記録信号を、片側４つの記録ヘッドＲに交互に出力させるためのエンコード処理（チャネル変換処理）がなされ、その後記録ヘッド１２０（＝Ｒ）によって図７のようなパターンに記録される。
【００３３】
磁気テープ１２１に記録されたディジタル記録信号を再生する再生系では上述したと逆の信号処理を行ってディジタル再生信号が得られる。そのため、まず再生ヘッド１２２（＝Ｐ）で再生されたディジタル再生信号はデコーダ１２３に供給され、片側４つの再生ヘッドＰから得られるディジタル再生信号が１回転８トラック分の信号として出力されるようなデコード処理（チャネル変換処理）がなされる。チャネル変換されたディジタル再生信号は同期検出回路１２４に供給されて上述した同期データの検出が行われる。
【００３４】
その後第１のエラー訂正用デコーダ１２５で内符号によるエラー訂正処理が行われ、エラー訂正処理されたディジタル再生信号はＩＤ検出回路１２６に供給されて、ディジタル再生信号に付加したカラーフレーム情報やセグメント情報などが分離検出される。そして、デマルチプレクサ１２８でディジタルビデオ信号とディジタルオーディオ信号とに分離され、分離されたディジタルオーディオ信号は第２のエラー訂正用デコーダ１３０に供給されて外符号によるエラー訂正処理が実行される。エラー訂正されたこのディジタルオーディオ信号はデシャッフリング回路１３１でシャッフル前のディジタル信号に戻され、さらにエラー修正回路１３２によってディジタル信号のエラー修正が行われる。そして出力アンプ１３３を経て出力端子１３４にエラー訂正およびエラー修正されたディジタルオーディオ信号が出力される。
【００３５】
同様に、分離されたディジタルビデオ信号は第２のエラー訂正用デコーダ１３６に供給されて外符号によるエラー訂正処理が実行される。エラー訂正されたこのディジタルオーディオ信号は逆ビット・レート・リダクション回路１３７で復号化処理および伸張処理が施され、元のビット長のディジタルビデオ信号となされる。その後、デシャッフリング回路１３８でシャッフル前のディジタル信号に戻され、さらにエラー修正回路１３９によってディジタル信号のエラー修正が行われる。そして出力アンプ１４０を経て出力端子１４１にエラー訂正およびエラー修正されたディジタルビデオ信号が出力される。
【００３６】
コントロール信号生成回路１４２で生成されたコントロール信号ＣＴＬは専用の固定磁気ヘッド１４３を用いて磁気テープ１２１の長手方向に記録される。
【００３７】
この発明では上述したように、一対のエラー訂正用デコーダ１２５および１３６を使用して再生されたディジタルビデオ信号のカラーフレーム位相を内部基準信号ＲＥＦによって決まるカラーフレームの位相に一致させるような処理が行われる。
【００３８】
その前提としてコントロール信号ＣＴＬは再生モードのとき４／３フィールドだけ進相されるような位相調整が行われる。これは例えば制御部としてのコンピュータの介在の下で上述したコントロール信号生成回路１４２の出力位相を調整すればよい。
【００３９】
さらに、ディジタルビデオ信号の遅延処理が行われる。遅延処理は図１の再生系のうち、デコーダ１２３から出力アンプ１４０までの間で行えばよいが、取り扱うデータ量が少ない信号処理段階で行った方が便利である。しかも信号を遅延させるためのメモリ手段として、既存のメモリ手段を活用できれば回路系を増やすことなく処理できるのでさらに便利である。
【００４０】
このような考えで、この発明では特にエラー訂正用デコーダ１２５および１３６で装備されているメモリ手段を活用することとする。図２はこれを説明するための概念図であって、説明の便宜上これらデコーダ１２５，１３６を直結した構成とすると共に、その周辺回路のみを図示してある。
【００４１】
端子１には図１のデコーダ１２３の出力（ディジタル再生信号）が供給され、このディジタル再生信号がエラー訂正用デコーダ１２５に供給されて内符号を利用してエラー訂正処理が行われる。内符号は横方向（水平方向）の訂正処理であるのに対し外符号処理は縦方向（垂直方向）の処理であるため、デコーダ１２５の後段には読み出し方向変換用のメモリ（バッファメモリ）４が設けられている。このメモリ４に対するリード、ライト処理を行うため、端子１３を介して同期検出およびクロック生成回路１４には再生コントロール信号ＣＴＬ′や同期コードが供給され、これより再生コントロール信号ＣＴＬ′に同期したクロックＣＬＫ、水平および垂直駆動パルスＨＤ、ＶＤが出力される。これらはタイミング発生回路１５に供給されるが、このタイミング発生回路１５にはさらに回転ドラム２０に取り付けられた周波数発電機１２からのパルス信号（ＦＧ信号）も供給され、回転ドラム２０の回転位相を検出できるようになっている。
【００４２】
タイミング発生回路１５で生成されたライトパルスＷＰはライトアドレス発生回路５に供給され、そのアドレスデータで内符号によるエラー訂正処理されたディジタルビデオ信号がライトされる。またリードパルスＲＰがリードアドレス発生回路６に供給されてそのリードアドレスに基づいてディジタルビデオ信号がリードされる。リードタイミングについては後述する。
【００４３】
メモリ４に対するライト方向は横方向であるが、リード方向は縦方向である。この縦方向からリードされたディジタルビデオ信号が第２のエラー訂正用デコーダ１３６に供給される。このデコーダ１３６で外符号によるエラー訂正処理が行われる。
【００４４】
エラー訂正処理されたディジタル再生信号は読み出し方向を縦方向から横方向に変換するためのメモリ（バッファメモリ）８にライトされる。このメモリ８にも同様なライトアドレス発生回路９とリードアドレス発生回路１０が設けられ、ライトされたディジタルビデオ信号を所定のリードタイミングをもってリードするようにしている。
【００４５】
さて、コントロール信号ＣＴＬ′を図３Ｃのように４／３フィールドだけ進相させると回転ドラム２０のドラムロックが外れないことは前述した。しかし、これではディジタル再生信号ＰＢｏのカラーフレーム位相が１フィールド遅れるため、図３ＡおよびＤのように内部基準信号ＲＥＦのカラーフレーム位相と合わないまま出力されることも前述した。
【００４６】
進相したコントロール信号ＣＴＬ′を使用すると図３Ｄに示すようなディジタル再生信号ＰＢａが再生ヘッドＰより得られ、デコーダ１２３でチャネル変換すると同図Ｅのようにｔ１（＝２／３フィールド）遅れで１フィールド３セグメント構成のディジタル再生信号ＰＢｂが得られる。
【００４７】
このディジタル再生信号ＰＢｂが内符号用のデコーダ１２５に与えられ、エラー訂正処理されてｔ２後に出力（上述したメモリ４の出力）される（図３Ｆ）。ｔ２遅れで出力されたこのディジタル再生信号ＰＢｃは外符号用のデコーダ１３６に供給され、ここで再びエラー訂正処理されるので、さらにｔ３だけ遅延されて出力される（図３Ｇ）。ｔ３遅れで出力されたこのディジタル再生信号ＰＢｄは逆ビット・レート・リダクション回路１３７に供給され、ｔ４後つまり１フィールド遅れで伸張されたディジタル再生信号ＰＢｏが出力される（図３Ｈ）。
【００４８】
最終的に得られるこのディジタル再生信号ＰＢｏのカラーフレーム位相が内部基準信号ＲＥＦのカラーフレーム位相と同じになるためには、図３Ａ、Ｈからも明らかなように再生ヘッドＰで再生されてから逆ビット・レート・リダクション回路１３７までの総遅延量が１．５フレームとなればよい。デコーダ１２３の遅延量は２／３フィールドであり、逆ビット・レート・リダクション回路１３７の遅延量は１フィールドであるから、デコーダ１２５および１３６の総遅延量は４／３フィールド＝４セグメントとなるように選べばよい。デコーダ１２５、１３６とも同じ遅延量に選んだ場合には、それぞれで２／３フィールド分（＝ｔ２＝ｔ３＝２セグメント）遅延させればよい。
【００４９】
そこで、デコーダ１２５と１３６にそれぞれ与えられる図２に示すリードパルスＲＰは、ライト開始タイミングから２／３フィールドの時間差を持たせる。つまり２／３フィールド遅延させてそれぞれのメモリ４，７よりディジタル再生信号ＰＢｃ、ＰＢｄが読み出されることになる。
【００５０】
このようにコントロール信号ＣＴＬ′の位相を４／３フィールド進相させるとと共に、第１および第２のエラー訂正用デコーダ１２５，１３６に設けられたメモリ４，７を利用してディジタル再生信号ＰＢｃ、ＰＢｄを２／３フィールド分づつ遅延させることによって、最終的に出力されるディジタル再生信号ＰＢｏのカラーフレーム位相を内部基準信号ＲＥＦのカラーフレーム位相と一致させることができる。
【００５１】
上述したメモリ４の容量は、５２５本／６０ＨｚでＮＴＳＣ方式によるビデオ信号の場合には、１トラック２ＥＣＣブロック構成となり、１ＥＣＣブロックは１８０×１０６バイト構成であるため、４Ｍバイトのメモリで十分である。他方のメモリ７の容量はほぼ２Ｍバイトのメモリで十分であるが、後述するようにＮＴＳＣ方式とは別のテレビション形式のビデオ信号も同時に取り扱うことを考慮すると、メモリ７の容量も４Ｍバイトのものが使用される。
【００５２】
上述した例では、入力ビデオ信号としてカラーフレームシーケンスとして２フレーム完結型のＮＴＳＣ方式のビデオ信号を例示したが、この発明ではこれ以外のテレビション方式のビデオ信号でも取り扱うことができる。
【００５３】
例えばＰＡＬ方式のテレビション信号は周知のようにそのカラーフレームは４フレーム＝８フィールドシーケンスであるから、４フレームでカラーフレーム位相が一巡する。そのため、図４のようにサーボ信号ＳＣは同図Ｂのように８フィールドシーケンスとなり、そのときのコントロール信号ＣＴＬは同図Ｃのようなデューティーとなされている。
【００５４】
このようなサーボ信号ＳＣおよびコントロール信号ＣＴＬを使用して入力ビデオ信号であるディジタル記録信号を記録すると同図Ｄ以下のようなタイミングチャートとなる。この図は図８と殆ど同じであるので対応する部分には同一符号を付し、その説明は割愛する。ただし、図４では再生ヘッドＰで再生されたディジタル再生信号ＰＢａについては図示されていない。
【００５５】
その詳細は割愛するとして、再生モードでは８／３フィールド分だけコントロール信号ＣＴＬを遅延（遅相）させると、回転ドラム２０の回転位相を変えずにドラムロックをとることができる。そしてそうした場合には、図４および図５に示すようにディジタル再生信号ＰＢａから丁度１．５フレーム遅れた時点がカラーフレームのゼロ位相（第１フィールド目）となるから、このゼロ位相にカラーフレームを合わせられるように上述したメモリ４および７の遅延時間（リード開始時間）が定められる。図ではそれぞれ２／３フィールド（＝２セグメント）分だけ遅延させてディジタル再生信号ＰＢｃ、ＰＢｄ（図５Ｆ、Ｇ、Ｈ）を読み出すことによって、逆ビット・レート・リダクション回路１３７からは同図Ｉに示すように内部基準信号ＲＥＦのカラーフレーム位相に同期したディジタル再生信号ＰＢｏが得られる。
【００５６】
【発明の効果】
以上説明したように、この発明ではドラムサーボ用のコントロール信号を進相若しくは遅相させると共に、２つのＥＣＣデコーダでの読み出し遅延時間を選ぶことによって内部基準信号のカラーフレーム位相に同期したディジタル再生信号が得られるようにしたものである。
【００５７】
したがってこの発明では記録時と再生時とで回転ドラムの回転位相を変えることなく処理できることに加え、特にハードウエアを増やさないでも既存のメモリを利用して信号を遅延させることができる特徴を有する。
【００５８】
したがってこの発明に係るディジタル磁気記録再生装置では、ハンディータイプのディジタルＶＴＲなどに適用して好適である。
【図面の簡単な説明】
【図１】この発明に係るディジタル磁気記録再生装置の一実施態様を示す系統図である。
【図２】図１の要部の系統図である。
【図３】ＮＴＳＣ方式におけるカラーフレーム位相の同期化を説明するためのタイミングチャートを示す図である。
【図４】ＰＡＬ方式におけるカラーフレーム位相の同期化を説明するためのタイミングチャートを示す図である。
【図５】同じく、ＰＡＬ方式におけるカラーフレーム位相の同期化を説明するためのタイミングチャートを示す図である。
【図６】ディジタル磁気記録再生装置に適用される回転ドラムの一例を示す構成図である。
【図７】そのときのテープパターンを示す図である。
【図８】ＮＴＳＣ方式におけるカラーフレーム位相の同期化を説明するためのタイミングチャートを示す図である。
【図９】同じくカラーフレーム位相の同期化を説明するためのタイミングチャートを示す図である。
【符号の説明】
１０・・・ディジタルＶＴＲ、１０６・・・ビット・レート・リダクション回路、１０７、１１３、１１７・・・エラー訂正用エンコーダ、１２５，１３０，１３６・・・エラー訂正用デコーダ、１３７・・・逆ビット・レート・リダクション回路、１４２・・・コントロール信号生成回路、１２１・・・磁気テープ
【図１】
0003906516.tif 000002
【図２】
0003906516.tif 000003
【図３】
0003906516.tif 000004
【図４】
0003906516.tif 000005
【図５】
0003906516.tif 000006
【図６】
0003906516.tif 000007
【図７】
0003906516.tif 000008
【図８】
0003906516.tif 000009
【図９】
0003906516.tif 000010